(57)【要約】【課題】オットマンのコンパクト化を図ることが可能なマッサージ機を提供する。【解決手段】オットマン１４には、使用者の脚部を挿入配置可能な脚部用凹部１４ａと、使用者の足部を足裏から支持可能な足部用凹部１４ｂとが備えられるとともに、脚部用凹部１４ａ及び足部用凹部１４ｂの両方にマッサージ手段としてのエアバッグが設けられる。足部用凹部１４ｂは、回動可能に構成されるとともに、足部用凹部１４ｂの底面２５と、脚部用凹部１４ａの底面２０とがなす回動角度Ｄが鋭角となる格納位置に維持可能に構成される。【選択図】図３
2011067353.tif 000002
【特許請求の範囲】
【請求項１】
使用者が着座可能な座部と、該座部の前部に使用者の脚部を載置可能なオットマンとを備え、
前記オットマンは、前記使用者の脚部を挿入配置可能な脚部用凹部と、前記使用者の足部を足裏から支持可能な足部用凹部とを有し、前記脚部用凹部及び前記足部用凹部の少なくとも一方にマッサージ手段が設けられ、
前記マッサージ手段にて前記使用者の脚をマッサージするマッサージ機であって、
前記足部用凹部は、回動可能に構成され、前記足部用凹部の底面と、前記脚部用凹部の底面とがなす回動角度が鋭角となる格納位置に維持可能に構成されたことを特徴とするマッサージ機。
【請求項２】
請求項１に記載のマッサージ機において、
前記オットマンは、一面側に前記脚部用凹部及び前記足部用凹部と、他面側に前記使用者の脚部を載置可能な脚載部とを有し、前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成されたことを特徴とするマッサージ機。
【請求項３】
請求項２に記載のマッサージ機において、
前記足部用凹部は、前記マッサージ可能状態において前部側となる前記足部用凹部の先端部位を前記回転支軸側に所定の付勢力で付勢する付勢手段を備えたことを特徴とするマッサージ機。
【請求項４】
請求項１〜３のいずれか一項に記載のマッサージ機において、
前記足部用凹部は、その底面から延出する複数の側壁を備え、該側壁の延出長さが最も長くなる最長部位が後部寄りに設定されるとともに、該最長部位より前部側ほど前記側壁の延出長さが短くなるように構成されたことを特徴とするマッサージ機。
【請求項５】
請求項１〜４のいずれか一項に記載のマッサージ機において、
前記マッサージ手段は、前記脚部用凹部の底面から突出する複数の側壁における側壁対向面に設けられる脚部マッサージ手段と、前記足部用凹部の底面から突出する複数の側壁における側壁対向面に設けられる足部マッサージ手段とで構成され、
前記足部マッサージ手段は、前記脚部マッサージ手段より前記各対向面の対向中心側に配置されることを特徴とするマッサージ機。
【請求項６】
請求項１〜５のいずれか一項に記載のマッサージ機において、
前記マッサージ手段は、前記脚部用凹部の底面から突出する複数の側壁における側壁対向面に設けられる脚部マッサージ手段と、前記足部用凹部の底面から突出する複数の側壁における側壁対向面に設けられる足部マッサージ手段とで構成され、
前記足部マッサージ手段は、前記足部用凹部の側壁の面方向に対し、前記脚部用凹部側である上側部位が前記足部用凹部の前記側壁対向面の対向中心側に傾倒する態様で構成されたことを特徴とするマッサージ機。
【発明の詳細な説明】
【技術分野】
【０００１】
本発明は、使用者の脚部をマッサージ可能なマッサージ機に関するものである。
【背景技術】
【０００２】
従来、使用者が着座可能な座部の前部に傾動可能なオットマンを配設し、そのオットマンに使用者の脚部をマッサージする膨縮動作可能なエアバッグを内蔵したマッサージ機が知られている（例えば特許文献１参照）。
【０００３】
また、特許文献１のマッサージ機に備えられるオットマンでは、同文献の図３に示されるように使用者の脚部を独立して挿入配置可能な一対の脚部用凹部が設けられ、その凹部の側壁にエアバッグを内蔵させ、エアバッグの膨縮動作にて使用者の両脚それぞれを個別に挟んでマッサージすることが可能な構成とされている。
【０００４】
また、近年のマッサージ機では、上記の脚部用凹部に加え、使用者の足部を例えば足裏から支持可能な足部用凹部が前記脚部用凹部とは別体に設ける構成のものが開発されている。このようなマッサージ機では、脚部用凹部の底面と足部用凹部の底面とが略直交する態様に構成されている。このため、例えば、足部用凹部の底面に使用者の足部を載置することで、脚部用凹部の底面が使用者の脚部（脹脛部）を沿うようになっている。
【先行技術文献】
【特許文献】
【０００５】
【特許文献１】特許第３５０８７７１号公報
【発明の概要】
【発明が解決しようとする課題】
【０００６】
ところで、上記のマッサージ機では、脚部用凹部の底面と足部用凹部の底面とが略直交する態様に構成されているため、例えば脚部用凹部の底面の面方向を鉛直方向とした場合、足部用凹部がマッサージ機（座部）の前面側に大きく迫り出す形状となり、使用者が着座する際にその迫り出し部位が障害となっていた。
【０００７】
本発明は、上記課題を解決するためになされたものであって、その目的は、その目的は、オットマンのコンパクト化を図ることが可能なマッサージ機を提供することにある。
【課題を解決するための手段】
【０００８】
上記課題を解決するために、請求項１に記載の発明は、使用者が着座可能な座部と、該座部の前部に使用者の脚部を載置可能なオットマンとを備え、前記オットマンは、前記使用者の脚部を挿入配置可能な脚部用凹部と、前記使用者の足部を足裏から支持可能な足部用凹部とを有し、前記脚部用凹部及び前記足部用凹部の少なくとも一方にマッサージ手段が設けられ、前記マッサージ手段にて前記使用者の脚をマッサージするマッサージ機であって、前記足部用凹部は、回動可能に構成され、前記足部用凹部の底面と、前記脚部用凹部の底面とがなす回動角度が鋭角となる格納位置に維持可能に構成されたことをその要旨とする。
【０００９】
この発明では、オットマンには、使用者の脚部を挿入配置可能な脚部用凹部と、使用者の足部を足裏から支持可能な足部用凹部とが備えられるとともに、脚部用凹部及び足部用凹部の少なくとも一方にマッサージ手段が設けられる。足部用凹部は、回動可能に構成されるとともに、足部用凹部の底面と、脚部用凹部の底面とがなす回動角度が鋭角となる格納位置に維持可能に構成される。このように、脚部用凹部に対し足部用凹部が回動され、足部用凹部の底面と脚部用凹部の底面とでなる回動角度を鋭角、即ち従来のマッサージ機（オットマン）より足部用凹部を脚部用凹部側に回動できるためオットマン全体としてコンパクト化を図ることが可能となる。また、足部用凹部が回動可能な構成であるため回動角度を略直角とした使用位置にも変更でき、例えば足部用凹部にマッサージ手段を設けた構成の場合に従来のマッサージ機と同様の構成とでき、オットマンコンパクト化に伴うマッサージ効果の低減を抑えることが可能となる。
【００１０】
請求項２に記載の発明は、請求項１に記載のマッサージ機において、前記オットマンは、一面側に前記脚部用凹部及び前記足部用凹部と、他面側に前記使用者の脚部を載置可能な脚載部とを有し、前記座部側に設けた支持部に対して左右方向に延びる態様で設けられる回転支軸にて回転可能に支持され、前記オットマンを回転させることで前記各凹部を前記座部前方に露出させるマッサージ可能状態と、前記脚載部を前記座部前方に露出させる脚載可能状態とに変更可能に構成されたことをその要旨とする。
【００１１】
この発明では、オットマンには、その一面側に脚部用凹部及び足部用凹部と、他面側に使用者の脚部を載置可能な脚載部とが備えられる。更にオットマンは、座部側に設けられる支持部に対して左右方向に延びる態様で設けられる回転支軸にて回転可能に支持され、オットマンを回転させることで各凹部を座部前方に露出させるマッサージ可能状態と、脚載部を座部前方に露出させる脚載可能状態とに変更可能に構成される。このように、オットマンをマッサージ可能状態と脚載可能状態とに変更できるため、使用者のその時々の気分によってマッサージ可能状態と脚載可能状態を選択でき、オットマンとしての利便性を向上させることができる。特に、請求項１に記載の構成にてオットマンのコンパクト化を図ることで、オットマンを回転させる際に好適に回転させることが可能となる。
【００１２】
請求項３に記載の発明は、請求項２に記載のマッサージ機において、前記足部用凹部は、前記マッサージ可能状態において前部側となる前記足部用凹部の先端部位を前記回転支軸側に所定の付勢力で付勢する付勢手段を備えたことをその要旨とする。
【００１３】
この発明では、足部用凹部には、マッサージ可能状態において前部側となる足部用凹部の先端部位を回転支軸側に所定の付勢力で付勢する付勢手段が備えられる。このように、付勢手段により回動可能な足部用凹部の先端部位を回転支軸側に所定の付勢力で付勢することで、オットマン全体としてコンパクト化を図ることができ、オットマンを容易に回転させることが可能となる。また、前記使用者の足部を足裏から支持する足部用凹部の底面にマッサージ手段としてエアバッグを設ける構成とした際に、エアバッグを膨張動作させた場合、回動可能な足部用凹部が使用者の足裏を押圧する方向から逃げるような作用が働いて好適なマッサージ効果を得ることが困難となる。この時、本構成のように、足部用凹部を前記付勢手段にて回転支軸側に付勢されているため、前述のような逃げる作用が抑えられ、好適なマッサージ効果を得ることが可能となる。
【００１４】
請求項４に記載の発明は、請求項１〜３のいずれか一項に記載のマッサージ機において、前記足部用凹部は、その底面から延出する複数の側壁を備え、該側壁の延出長さが最も長くなる最長部位が後部寄りに設定されるとともに、該最長部位より前部側ほど前記側壁の延出長さが短くなるように構成されたことをその要旨とする。
【００１５】
この発明では、足部用凹部には、その底面から延出する複数の側壁が備えられるとともに、その側壁の延出長さが最も長くなる最長部位が後部寄りに設定され、最長部位より前部側ほど側壁の延出長さが短くなるように構成される。つまり、足部用凹部の側壁の前部側の延出長さが短くなる構成とすることで、側壁の前部側をより脚部用凹部側へ近づけて回動角度をより鋭角とすることができ、足部用凹部の格納位置におけるオットマンのコンパクト化をより図ることが可能となる。
【００１６】
請求項５に記載の発明は、請求項１〜４のいずれかに記載のマッサージ機において、前記マッサージ手段は、前記脚部用凹部の底面から突出する複数の側壁における側壁対向面に設けられる脚部マッサージ手段と、前記足部用凹部の底面から突出する複数の側壁における側壁対向面に設けられる足部マッサージ手段とで構成され、前記足部マッサージ手段は、前記脚部マッサージ手段より前記各対向面の対向中心側に配置されることをその要旨とする。
【００１７】
この発明では、マッサージ手段は、脚部用凹部の底面から突出する複数の側壁における側壁対向面に設けられる脚部マッサージ手段と、足部用凹部の底面から突出する複数の側壁における側壁対向面に設けられる足部マッサージ手段とで構成される。足部マッサージ手段は、脚部マッサージ手段より各対向面の対向中心側に配置されるため、足部用凹部を格納位置に回動させた際に、足部マッサージ手段と脚部マッサージ手段とが干渉することを抑制することができ、所望の位置である格納位置までより確実に足部用凹部を回動させることができる。
【００１８】
請求項６に記載の発明は、請求項１〜５のいずれか一項に記載のマッサージ機において、前記マッサージ手段は、前記脚部用凹部の底面から突出する複数の側壁における側壁対向面に設けられる脚部マッサージ手段と、前記足部用凹部の底面から突出する複数の側壁における側壁対向面に設けられる足部マッサージ手段とで構成され、前記足部マッサージ手段は、前記足部用凹部の側壁の面方向に対し、前記脚部用凹部側である上側部位が前記足部用凹部の前記側壁対向面の対向中心側に傾倒する態様で構成されたことをその要旨とする。
【００１９】
この発明では、マッサージ手段は、脚部用凹部の底面から突出する複数の側壁における側壁対向面に設けられる脚部マッサージ手段と、足部用凹部の底面から突出する複数の側壁における側壁対向面に設けられる足部マッサージ手段とで構成される。足部マッサージ手段は、足部用凹部の側壁の面方向に対し、脚部用凹部側である上側部位が足部用凹部の側壁対向面の対向中心側に傾倒する態様で構成される。このように、足部マッサージ手段の上側部位を対向中心側に傾倒させることで、足部用凹部を格納位置に回動させる際に、足部マッサージ手段と脚部マッサージ手段とが干渉することをより抑えることができ、所望の位置である格納位置までより確実に足部用凹部を回動させることができる。
【発明の効果】
【００２０】
本発明によれば、オットマンのコンパクト化を図ることが可能なマッサージ機を提供することができる。
【図面の簡単な説明】
【００２１】
【図１】本実施形態におけるマッサージ機の概略構成図である。
【図２】オットマンの脚載可能状態について説明するための説明図である。
【図３】（ａ）（ｂ）は、足部用凹部の格納状態と使用状態について説明するための説明図である。
【図４】オットマンの正面図である。
【図５】別例におけるオットマンの正面図である。
【発明を実施するための形態】
【００２２】
以下、本発明を具体化した一実施形態を図面に従って説明する。
図１は、本実施形態のマッサージ機の概略構成図を示す。マッサージ機１０の脚部１１は、図示しない床面に載置されるとともに、その上部には、使用者が着座可能な座部１２が設けられている。
【００２３】
座部１２には、その後部に背もたれ部１３、その前部にオットマン１４がそれぞれ座部１２に対して傾動可能に設けられている。また、座部１２には、座部１２の後部側から前部側に延びる一対のフレーム１５（図１では１つのみ図示）の前端に、支持枠１６の基端が接続されている。そして、この支持枠１６の先端には、座部１２の左右方向（図１において紙面直交方向）に延びる回転支軸１６ａにて前記オットマン１４が回転可能に設けられている。
【００２４】
オットマン１４は、前記支持枠１６の先端側が接続されるとともに座部１２に着座した使用者の脚部（脹脛部）を挿入配置可能な脚部用凹部１４ａと、使用者の足部を載せて支持する足部用凹部１４ｂとを有している。また、脚部用凹部１４ａ及び足部用凹部１４ｂの裏面側には使用者の脚部を載置可能な略平面状の脚載部１４ｃが設けられている。このため、本実施形態のマッサージ機１０では、オットマン１４を回転支軸１６ａ中心に回転させることで、各凹部１４ａ，１４ｂの表面側に設けられるマッサージ手段としてのエアバッグ２３，２８，２９（図４参照）を本マッサージ機１０前面側に露出させて使用者をマッサージ可能なマッサージ可能状態（図１参照）と、裏面側の脚載部１４ｃ側を本マッサージ機１０前面側に露出させて使用者の脚部を配置可能な脚載可能状態（図２参照）とに変更が可能となっている。
【００２５】
脚部用凹部１４ａは、図３（ａ）（ｂ）及び図４に示すように、底面２０の左右端部及び左右方向中央部から略同一方向に延出する３つの側壁２１ａ〜２１ｃの側壁対向面２２には、マッサージ手段としての２つのエアバッグ２３が設けられている。
【００２６】
足部用凹部１４ｂは、底面２５の左右端部及び左右方向中央部から略同一方向に延出する３つの側壁２６ａ〜２６ｃの側壁対向面２７には、マッサージ手段としてのエアバッグ２８が設けられている。また、足部用凹部１４ｂの底面２５には、足裏マッサージ手段としてのエアバッグ２９が設けられている。尚、足部用凹部１４ｂの側壁対向面２７に設けられるエアバッグ２８は、脚部用凹部１４ａの側壁対向面２２に設けられるエアバッグ２３より各対向面２２，２７の対向中心側に配置される。
【００２７】
足部用凹部１４ｂは、脚部用凹部１４ａに対し、回動支軸３０を中心として回動可能に支持されており、足部用凹部１４ｂの先端部位（図１において左側）が、例えば、ばね等の付勢部材３１により脚部用凹部１４ａ（回転支軸１６ａ）側に常時付勢されている。具体的には、付勢部材３１は、その一端が脚載部１４ｃの側面の固定点Ｘにて固定され、この固定点Ｘが足部用凹部１４ｂの先端部位（図１において回動支軸３０よりも先端側）の固定点Ｙよりも高い位置となるように設けられている。このため、足部用凹部１４ｂの先端部位は回動支軸３０を中心として脚部用凹部１４ａ側に付勢されている。これにより、オットマン１４全体としてコンパクト化を実現することが可能となり、オットマン１４回転時においてその回転を容易とすることが可能となっている。また、前述したようにエアバッグ２８は、エアバッグ２３よりも各対向面２２，２７の対向中心側に配置されるため、エアバッグ２３及びエアバッグ２８が左右方向にずれる構成となり、足部用凹部１４ｂを格納位置に回動させた際に、エアバッグ２３とエアバッグ２８とが干渉することを抑制することができ、所望の位置である格納位置までより確実に足部用凹部１４ｂを回動させることができる。
【００２８】
また、特に、図３（ａ）に示すように、付勢部材３１に足部用凹部１４ｂを脚部用凹部１４ａ側に付勢した状態において、足部用凹部１４ｂ側の側壁２６ａ〜２６ｃにおける脚部用凹部１４ａの側壁２１ａ〜２１ｃとの対向端面３５は、脚部用凹部１４ａの側壁２１ａ〜２１ｃの端面３６との距離が略等間隔となるように形成されている。このため、よりオットマン１４全体としての大きさを抑えることが可能となり、オットマン１４回転時において好適に回転させることが可能となっている。この時、足部用凹部１４ｂは、付勢部材３１により所定の半径を有する仮想円Ｃ内に納まるように、足部用凹部１４ｂの底面２５と脚部用凹部１４ａの底面２０との回動角度Ｄが略５５度程度となる位置まで付勢されている。ここで、仮想円Ｃは、例えば図示しない床面から座部１２の下面までの距離を１／２とした半径とすることで、オットマン１４の大きさを最大限にしつつ、オットマン１４を回転する際に床面及び座部１２の下面とオットマン１４とが干渉することが抑えられる。
【００２９】
また、足部用凹部１４ｂは、図３（ｂ）に示すように脚部用凹部１４ａの底面２０と足部用凹部１４ｂの底面２５とがなす回動角度Ｄが直角となる使用位置の状態に図示しないロック機構にて保持可能に構成されている。そして、足部用凹部１４ｂは、側壁２６ａ〜２６ｃの延出長さが最も長くなる最長部位ＭＬ（延出長さＬ１）が後部寄りに設定されるとともに、その最長部位ＭＬから前部側にかけて側壁２６ａ〜２６ｃの延出長さが短くなる形状（例えば後部寄りの延出長さＬ１＞前部寄りの延出長さＬ２）となるように構成されている。ここで、足部用凹部１４ｂの回動支軸３０は、前記使用位置において最長部位ＭＬ（延出長さＬ１）よりも後部側となるように設定されており、前部側の延出長さが短くなる足部用凹部１４ｂの回転支軸１６ａ（脚部用凹部１４ａ）側への回動領域を比較的大きくでき、コンパクト化に寄与することができる。
【００３０】
尚、足部用凹部１４ｂを付勢する付勢部材３１は、脚部用凹部１４ａ側への付勢力に抗する力がこの付勢力よりも強い場合、回動支軸３０を中心として足部用凹部１４ｂの先端部位が脚部用凹部１４ａとは反対方向に回動される。そして、付勢部材３１の各固定点Ｘ，Ｙ間を繋ぐ直線（図示略）が回動支軸３０の中心点ＣＰを超えた場合、付勢部材３１により脚部用凹部１４ａとは反対側に付勢されるようになっている。この時、例えば脚部用凹部１４ａの底面２０と足部用凹部１４ｂの底面２５とが略平行となる位置（伸展位置）で、足部用凹部１４ｂを固定させることで例えば脚部の長い使用者に対応することも可能となっている。また、使用者の脚部から足部の足首までかけて脚部用凹部１４ａ及び足部用凹部１４ｂのエアバッグ２３，２８にてマッサージすることが可能となっている。
【００３１】
足部用凹部１４ｂと平面状の脚載部１４ｃとの間には、足部用凹部１４ｂを回動可能とさせるべく別体にて構成されているため、足部用凹部１４ｂ及び脚載部１４ｃの間には間隙が設けられている。そして、本実施形態のマッサージ機１０では、前記間隙を閉塞するため、足部用凹部１４ｂの底面２５下面側と脚載部１４ｃの長手方向一端面にはカバー部材４０が設けられている。そして、カバー部材４０は、可撓性を有するストレッチ素材にて構成されるとともに、足部用凹部１４ｂを格納状態に付勢する際に、付勢部材３１により緊張状態となるように設けられている。このように間隙を閉塞するカバー部材４０が設けられているため、間隙への異物の混入を抑制させることが可能となっている。
【００３２】
上記のように構成されたマッサージ機１０のオットマン１４では、図示しないエアポンプが制御され、エアポンプからの給排気により各エアバッグ２３，２８，２９が適宜膨縮動作され、使用者の脚部及び足部をマッサージすることができる。また、本実施形態のマッサージ機１０では、オットマン１４の一面側にマッサージ手段としてのエアバッグ２３，２８，２９を有し、他面側に平面状の脚載部１４ｃを有し、オットマン１４が回転可能に構成されている。このため、使用者の気分によってオットマン１４をマッサージ器具として使用するのか、脚載部１４ｃとして使用するのか選択可能となっている。
【００３３】
また、オットマン１４は、脚部用凹部１４ａの底面２０及び足部用凹部１４ｂの底面２５とでなす回動角度が鋭角となる略５５度の格納位置で保持可能に構成されている。このように足部用凹部１４ｂを従来のマッサージ機（オットマン）よりも脚部用凹部１４ａ側に回動できるため、オットマン１４のコンパクト化を図ることが可能となっている。そのため、オットマン１４を容易に回転させることができる。
【００３４】
また、足部用凹部１４ｂが回動可能に構成され、従来のマッサージ機のように回動角度Ｄが直角となる使用状態に変更できるため、オットマン１４のコンパクト化に伴うエアバッグ２８によるマッサージ効果の低下を抑えることができている。
【００３５】
次に、本実施形態の特徴的な作用効果を記載する。
（１）オットマン１４には、使用者の脚部を挿入配置可能な脚部用凹部１４ａと、使用者の足部を足裏から支持可能な足部用凹部１４ｂとが備えられるとともに、脚部用凹部１４ａ及び足部用凹部１４ｂの両方にマッサージ手段としてのエアバッグ２３，２８が設けられる。足部用凹部１４ｂは、回動可能に構成されるとともに、足部用凹部１４ｂの底面２５と、脚部用凹部１４ａの底面２０とがなす回動角度Ｄが鋭角となる格納位置に維持可能に構成される。このように、脚部用凹部１４ａに対し足部用凹部１４ｂが回動され、各底面２０，２５でなる回動角度Ｄを鋭角、即ち従来のマッサージ機（オットマン）より足部用凹部１４ｂを脚部用凹部１４ａ側に回動できるためオットマン全体としてコンパクト化を図ることが可能となる。
【００３６】
（２）足部用凹部１４ｂが回動可能な構成であるため回動角度Ｄを略直角とした使用位置にも変更でき、足部用凹部１４ｂにエアバッグ２８を設けた本実施形態において従来のマッサージ機と同様の構成とでき、オットマン１４コンパクト化に伴うマッサージ効果の低減を抑えることが可能となる。
【００３７】
（３）足部用凹部１４ｂが回動可能に構成され、従来のマッサージ機のように回動角度Ｄが直角となる使用状態に変更できるため、オットマン１４のコンパクト化に伴うエアバッグ２８によるマッサージ効果の低下を抑えることができる。
【００３８】
（４）オットマン１４には、一面側に脚部用凹部１４ａ及び足部用凹部１４ｂと、他面側に使用者の脚部を載置可能な脚載部１４ｃとが備えられる。更にオットマン１４は、座部１２側に設けた支持枠１６に対して左右方向に延びる態様で設けられる回転支軸１６ａにて回転可能に支持され、オットマン１４を回転させることで各凹部１４ａ，１４ｂを座部１２前方に露出させるマッサージ可能状態と、脚載部１４ｃを座部１２前方に露出させる脚載可能状態とに変更可能に構成される。このように、オットマン１４をマッサージ可能状態と脚載可能状態とに変更できるため、使用者のその時々の気分によってマッサージ可能状態と脚載可能状態を選択でき、オットマン１４としての利便性を向上させることができる。また、オットマン１４の足部用凹部１４ｂの底面２５と、脚部用凹部１４ａの底面２０とがなす回動角度Ｄが鋭角となる格納位置に維持可能に構成されるため、オットマン１４回転時の干渉を抑えることができ、好適に回転を行うことが可能となる。
【００３９】
（５）足部用凹部１４ｂは、単独で回動可能に構成されるとともに、マッサージ可能状態において前部側となる足部用凹部１４ｂの先端部位を回転支軸１６ａ側に所定の付勢力で付勢する付勢部材３１が備えられる。このように、付勢部材３１により回動可能な足部用凹部１４ｂの先端部位を回転支軸１６ａ側に所定の付勢力で付勢することで、オットマン１４全体としてコンパクト化を図ることができ、オットマン１４を容易に回転させることが可能となる。
【００４０】
（６）また、使用者の足部を足裏から支持する足部用凹部１４ｂの底面２５にマッサージ手段としてエアバッグ２９を設ける構成とした際に、エアバッグ２９を膨張動作させた場合、回動可能な足部用凹部１４ｂが使用者の足裏を押圧する方向から逃げるような作用が働いて、好適なマッサージ効果を得ることが困難となる。この時、本構成のように、足部用凹部１４ｂを付勢部材３１にて回転支軸１６ａ側に付勢されているため、前述のような逃げる作用が抑えられ、好適なマッサージ効果を得ることが可能となる。
【００４１】
（７）足部用凹部１４ｂには、その底面２５から延出する複数の側壁２６ａ〜２６ｃが備えられるとともに、その側壁２６ａ〜２６ｃの延出長さが最も長くなる最長部位ＭＬが後部寄りに設定されるとともに、最長部位ＭＬより前部側ほど側壁２６ａ〜２６ｃの延出長さが短くなるように構成される。つまり、足部用凹部１４ｂの側壁２６ａ〜２６ｃの前部側の延出長さが短くなる構成とすることで、側壁２６ａ〜２６ｃの前部側をより脚部用凹部１４ａ側へ近づけて回動角度Ｄをより鋭角とすることができ、足部用凹部１４ｂの格納位置におけるオットマン１４のコンパクト化をより図ることが可能となる。
【００４２】
（８）脚部用凹部１４ａの底面２０から突出する複数の側壁２１ａ〜２１ｃにおける側壁対向面２２に設けられる脚部マッサージ手段としてのエアバッグ２３と、足部用凹部１４ｂの底面２５から突出する複数の側壁２６ａ〜２６ｃにおける側壁対向面２２に設けられる足部マッサージ手段としてのエアバッグ２８とでマッサージ手段が構成される。エアバッグ２８は、エアバッグ２３より各対向面２２の対向中心側に配置されるため、足部用凹部１４ｂを格納位置に回動させた際に、エアバッグ２３とエアバッグ２８とが干渉することを抑制することができ、所望の位置である格納位置までより確実に足部用凹部１４ｂを回動させることができる。
【００４３】
尚、本発明の実施形態は、以下のように変更してもよい。
・上記実施形態では、特に言及していないが、例えば図５に示すように、足部用凹部１４ｂの側壁２６ａ〜２６ｃの側壁対向面２７に設けられる足部マッサージ手段としてのエアバッグ５０の上側部位を側壁２６ａ〜２６ｃの面方向に対して対向中心側に傾倒させる構成を採用してもよい。このように、エアバッグ５０の上側部位を対向中心側に傾倒させることで、足部用凹部１４ｂを格納位置に回動させる際に、エアバッグ５０とエアバッグ２３とが干渉することをより抑えることができ、所望の位置である格納位置までより確実に足部用凹部を回動させることができる。
【００４４】
・上記実施形態では、オットマン１４を回転支軸１６ａ中心に回転可能に構成したが、回転不能な構成を採用してもよい。尚、この場合、平面状の脚載部１４ｃは省略した構成であってもよい。
【００４５】
・上記実施形態では、回動可能な足部用凹部１４ｂを付勢部材３１にて回転中心（回転支軸１６ａ）側に付勢して、格納位置となる状態に保持可能な構成としたが、これに限らず、付勢部材３１を省略した構成を採用してもよい。但し、足部用凹部１４ｂを格納位置、使用位置、及び伸展位置に保持（ロック）できるロック機構を設けることが望ましい。
【００４６】
・上記実施形態では、足部用凹部１４ｂの底面２５にエアバッグ２９を設ける構成としたが、エアバッグ２９を省略した構成を採用してもよい。
・上記実施形態では、脚部用凹部１４ａ及び足部用凹部１４ｂの両方にマッサージ手段としてのエアバッグ２３，２８を設ける構成としたが、脚部用凹部１４ａ及び足部用凹部１４ｂのいずれか一方のみにマッサージ手段（エアバッグ）を設ける構成を採用してもよい。
【００４７】
・上記実施形態では、特に言及していないが、例えば背もたれ部１３に施療子にて使用者の上半身をマッサージするマッサージ機構を配設した構成を採用してもよい。
・上記実施形態では、背もたれ部１３を座部１２に対して傾動可能に設けたが、これに限らず、背もたれ部１３を傾動不能、つまり固定した構成であってもよい。また、背もたれ部１３を省略した構成であってもよい。
【符号の説明】
【００４８】
１０…マッサージ機、１１…脚部、１２…座部、１４…オットマン、１４ａ…脚部用凹部、１４ｂ…足部用凹部、１４ｃ…脚載部、１６…支持枠（支持部）、１６ａ…回転支軸、２０，２５…底面、２１ａ〜２１ｃ，２６ａ〜２６ｃ…側壁、２２，２７…側壁対向面、２３，２８，２９…エアバッグ（マッサージ手段）、３１…付勢部材（付勢手段）、Ｄ…回動角度、Ｌ１，Ｌ２…延出長さ、ＭＬ…最長部位。
【図１】
2011067353.tif 000003
【図２】
2011067353.tif 000004
【図３】
2011067353.tif 000005
【図４】
2011067353.tif 000006
【図５】
2011067353.tif 000007